(57)【要約】      （修正有）【課題】配管用などの管体の絶縁性を確保する共に、管体と回動防止具間の緩みを防止し、両者が充分な回転阻止力をもって押圧され、堅牢に固定保持することが可能な管体固定用の支持具を提供する。【解決手段】管体２と、所定範囲の外周に外嵌されると共に、軸方向に沿う複数のストッパー用凸条４１ａが条設され、かつ上記管体２と回転阻止力をもって押圧される回動防止具３と、上記管体２および上記回動防止具３を外嵌すると共に、上記回動防止具３のストッパー用凸条４１ａに嵌合されるストッパー用凹溝３１を内面側に有し、かつ建物などの上記固定部材Ｘを挿通して掛り止められる開口部４２ａを有する固定用の取付け具４とよりなる管体固定用の支持具。【選択図】図２
2016191464.tif 000002
【特許請求の範囲】
【請求項１】
建物などに設けられた固定部材に、配管用などの管体を取付けて固定保持する管体固定用の支持具であって、
断面が円形状または多角形状を呈すると共に、軸方向に長尺に形成された管体と、
所定範囲の外周に外嵌されると共に、軸方向に沿う複数のストッパー用凸条が条設され、かつ上記管体と回転阻止力をもって押圧される回動防止具と、
上記管体および上記回動防止具を外嵌すると共に、上記回動防止具のストッパー用凹溝に嵌合されるストッパー用凸条を内面側に有し、かつ建物などの上記固定部材を挿通して掛り止められる開口部を有する固定用の取付け具と、
よりなることを特徴とする管体固定用の支持具。
【請求項２】
上記管体と上記回動防止具の回転阻止力は、４００Ｐａ以上であることを特徴とする請求項１記載の管体固定用の支持具。
【請求項３】
上記取付け具は、挟持する上記回動防止具の直径に適合したＵ字状とされることを特徴とする請求項１または２記載の管体固定用の支持具。
【請求項４】
上記回動防止具は、樹脂部材などによって成形された絶縁部材よりなることを特徴とする請求項１、２または３記載の管体固定用の支持具。
【発明の詳細な説明】
【発明の詳細な説明】
【技術分野】
【０００１】  この発明は、特に配管用などの管体を回転阻止力をもって堅牢に固定保持することができる管体固定用の支持具に関する。
【背景技術】
【０００２】  従来、水道管などのような管体を配管する場合には、管体をしっかりと固定支持する必要がある。例えば、建物の内部に配管するような場合には、建物などの固定部材に取付け金具を介して管体を固定支持させている。【０００３】  この固定部材としては、天井裏の裏面側に野縁および野縁受けなどより構成される支持部材が敷設され、この支持部材である野縁受け間に固定部材が懸け渡されるなどのようにしている。したがって、この固定部材に取り付けられる取付け金具は、管体の外周に嵌合される挟持部、固定部材に掛り止められる取付け部、この取付け部に設けられ挟持部に嵌合された管体と取付け部に掛り止められた固定部材を締結する締め付け用ネジなどによって構成される。【０００４】  尚、この場合には、取付け金具の挟持部は嵌合する管体の部分が滑り止めと異種金属間に生ずる電位差による電蝕を防止するために、熱収縮性チューブや絶縁テープなどよりなる絶縁部材が装着されることが多い。【０００５】  このような固定を行う金具として、特開平７−２１７７７５号、特開平７−２４６２５２号や特開平８−２５７１６０号、特開平１１−１５９５０６号など多数の固定用の金具があるが、なかでもＵ字状の挟持部によって管体などを挟持し、滑り止めや異種金属間に生ずる電蝕を防止するものとして特許文献１や特許文献２などがある。【０００６】  特許文献１は、本願出願人に係る文献であり、本願出願の図面の図２を援用して説明すれば、Ｕ字状を呈する取付け金具４の挟持部分が、管体２および管体２の外周に取り付けられた回動防止具３を嵌合すると共に、管体２と外面に形成されたストッパー用凹溝（凹凸条）３１を有する回動防止具３とが、内面にストッパー用凸条（凹凸条）４１が突出された取付け金具４に挟持されて係り止められることにより、滑り止めと異種金属間に生ずる電蝕を防止して固定部材Ｘに取付けられる。【０００７】  特許文献２は、図４に示すように固定金具は、Ｕ字状を呈する湾曲部Ｍ１と固定板Ｍ２と蝶ボルトＭ３よりなり、固定金具の保持部Ｍ４に設けられた凸状突起Ｍ８が断面正八角形のスプリンクラーヘッド取付管Ｆ１の頂点外周を挟み込むことにより、スプリンクラーヘッド取付管Ｆ１が角パイプＰに固定されることを特徴としている。
【先行技術文献】
【特許文献】
【０００８】
【特許文献１】登録特許第３４６７６０４号公報
【特許文献２】特開平１１−６３３０５公報
【発明の概要】
【発明が解決しようとする課題】
【０００９】  しかしながら、このような構成よりなる特許文献２では、断面正八角形の管体の頂点外周を挟み込み固定するのに有効であっても、異種金属間に生ずる電位差による電蝕を防止する手段などは何ら開示されていない。
また、特許文献１は、管体および管体の外面に取付けられた回動防止具を嵌合すると共に、管体の外面部分に形成されたストッパー用凹溝を有する回動防止具とが、内面にストッパー用凸条が突出された取り付け金具に挟持されて係り止められることにより、滑り止めが可能となり、また、絶縁部材の装着により異種金属間に生ずる電位差による電蝕を防止することができるが、振動や加圧などにより管体に回動力が加わると、管体と回動防止具間に捻れや剥離などが生じて正常な配管系を維持することができず、破損などの原因になるという不具合があった。【００１０】  すなわち、取付け金具とこの内側に接する回動防止具との軸方向に対する周方向の回動防止は可能であっても、回動防止具と管体の接続に際しては良好な接続維持はできない恐れがあり、管体と回動防止具間に回動力（トルク）が加わると正常な配管系を維持することができない恐れがあった。【００１１】  この発明は、このような事情に基づいてなされたものであり、その目的とするところは、配管用などの管体の絶縁性を確保する共に、管体と回動防止具間の緩みを防止し、両者が充分な回転阻止力をもって押圧され、堅牢に固定保持することが可能な管体固定用の支持具を提供することにある。
【課題を解決するための手段】
【００１２】  この発明は、上記のような目的を達成するために、管体固定用の支持具として、請求項１記載のように、建物などに設けられた固定部材に、配管用などの管体を取付けて固定保持する管体固定用の支持具であって、断面が円形状または多角形状を呈すると共に、軸方向に長尺に形成された管体と、所定範囲の外周に外嵌されると共に、軸方向に沿う複数のストッパー用凸条が条設され、かつ上記管体と回転阻止力をもって押圧される回動防止具と、上記管体および上記回動防止具を外嵌すると共に、上記回動防止具のストッパー用凹溝に嵌合されるストッパー用凸条を内面側に有し、かつ建物などの上記固定部材を挿通して掛り止められる開口部を有する固定用の取付け具と、よりなることを特徴とする。
また、請求項２記載のように、上記管体と上記回動防止具の回転阻止力は、４００Ｐａ以上であることを特徴とする。
また、請求項３記載のように、上記固定用の取付け具は、挟持する上記回動防止具の直径に適合したＵ字状とされることを特徴とする。
また、請求項４記載のように、上記回動防止具は、樹脂部材などによって成形された絶縁部材よりなることを特徴とする。
【発明の効果】
【００１３】  この発明によれば、管体および管体の外周に固着される回動防止具は、射出成型時に４００Ｐａ以上で押圧されているので、両者間には回転阻止のための充分な回転防止力が働いているので、従来に比してより一層堅牢にかつ長期間に亘り固定保持することが可能となる。
【図面の簡単な説明】
【００１４】
【図１】この発明に係る管体固定用の支持具の分解図である。
【図２】管体固定用の支持具の取付け状態を示す側面図である。
【図３】図２のＡ−Ａ線断面図である。
【図４】従来の管体固定用の支持具の説明図である。
【発明を実施するための最良の形態】
【００１５】  図１に示すように、支持具１は、長尺な管体２と、管体２の所定範囲に設けられるリング状の回動防止具３と、この回動防止具３を挟持して固定支持する取付け金具４とによって構成される。回動防止具３は、その外周面には管体２の長手方向に沿って条設されるストッパー用凸条３１（凹凸条）が一定間隔で複数条穿設されている。【００１６】  すなわち、この実施例による回動防止具３の断面は、図３に示すように、一定の厚みを以って形成された回動防止具３の外周面に所定幅の１６個の凹凸が繰り返される形状となっており、これにより取付け金具４に対する管体２の取付けは３６０度のいずれでもよく、取付けの際の使い勝手に優れるものである。【００１７】  取付け金具４は、管体２および回動防止具３に外嵌され、Ｕ字状の挟持部４１と、建物などの固定部材Ｘ（図２参照）に掛り止められる取付け部４２と、この取付け部４２に設けられ挟持部４１に嵌合された回動防止具３と取付け部４２に掛り止められた固定部材Ｘを締結する締結部５とが一体的に構成されている。【００１８】  挟持部４１は、その内面に回動防止具３のストッパー用凹溝３１に嵌合されるストッパー用凸条４１ａが突設されている。取付け部４２は、固定部材Ｘを挿通することができるようにコ字状の開口部４２ａが開設されている。締結部５は、取付け部４２の開口部４２ａにおける上下縁辺に設けられたネジ通し孔４２ｂに、図中下方側からネジ体５１が螺合されて構成されている。【００１９】  尚、固定部材Ｘとしては種々のものがある。例えば、建物の場合には、建物の天井の裏面側に野縁および野縁受けなどより構成される支持部材が敷設され、この野縁受け間に懸け渡されるものなどがある。【００２０】  一方、回動防止具３は、滑り止め作用と絶縁作用を果たすものであれはよいが、この実施例においては、管体２の外周面に予め凹凸（図示略）を形成し、この部分にポリプロピレン樹脂により成形された回動防止具３が取付け形成される。【００２１】  管体２と回動防止具３の固着については、射出成型時に管体２と回動防止具３とが充分な回転阻止力（トルク阻止力）をもって接合される。本実施例のステンレス鋼管とポリプロピレン樹脂の場合には、４００Ｐａ以上の回転阻止力で押圧され両者は不動状態で固着されることとなる。また、樹脂部材が管体２の外周面に溶融状態で固化され、回動防止具３は管体２の外周に不動状態で固着されてもよい。尚、管体２と回動防止具３との固着は適宜設計変更が可能であり、接着剤を介して固着させてもよいし、管体２側からの突出部などにより回動防止具３を規制するようにしてもよい。【００２２】  このように、この実施例によれば、管体と管体の外周に固着される回動防止具とが回転阻止力をもって押圧され不動状態で固着されているので、両者間には回転阻止のための充分な回転防止力が働いており、かつ異種金属間に生ずる電蝕を防止することができ、堅牢な固定保持を長時間維持することができる管体固定用の支持具である。
しかも、管体および管体の外周に固着される回動防止具は、射出成型時に４００Ｐａ以上で押圧されているので、両者間には回転阻止のための充分な回転防止力が働いているので、従来に比してより一層堅牢にかつ長期間に亘り固定保持することが可能となる。
【図１】
2016191464.tif 000003
【図２】
2016191464.tif 000004
【図３】
2016191464.tif 000005
【図４】
2016191464.tif 000006
【手続補正書】
【提出日】平成27年8月4日(2015.8.4)
【手続補正１】
【補正対象書類名】特許請求の範囲
【補正対象項目名】全文
【補正方法】変更
【補正の内容】
【特許請求の範囲】
【請求項１】
建物などに設けられた固定部材に、配管用などの管体を取付けて固定保持する管体固定用の支持具であって、
断面が円形状または多角形状を呈すると共に、軸方向に長尺に形成された管体と、
所定範囲の外周に外嵌されると共に、軸方向に沿う複数のストッパー用凸条が条設され、かつ上記管体との回転阻止力は射出成型時に４００Ｐａ以上で押圧されている回動防止具と、
上記管体および上記回動防止具を外嵌すると共に、上記回動防止具のストッパー用凹溝に嵌合されるストッパー用凸条を内面側に有し、かつ建物などの上記固定部材を挿通して掛り止められる開口部を有する固定用の取付け具と、
よりなることを特徴とする管体固定用の支持具。
【請求項２】
上記取付け具は、挟持する上記回動防止具の直径に適合したＵ字状とされることを特徴とする請求項１記載の管体固定用の支持具。
【請求項３】
上記回動防止具は、樹脂部材などによって成形された絶縁部材よりなることを特徴とする請求項１または２記載の管体固定用の支持具。
【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
建物などに設けられた固定部材に、配管用などの管体を取付けて固定保持する管体固定用の支持具であって、
断面が円形状または多角形状を呈すると共に、軸方向に長尺に形成された管体と、
所定範囲の外周に外嵌されると共に、軸方向に沿う複数のストッパー用凸条が条設され、かつ樹脂部材によって成形され上記管体との回転阻止力が射出成型時に４００Ｐａ以上で押圧してなる絶縁部材層を介して形成される回動防止具と、
上記管体および上記回動防止具を外嵌すると共に、上記回動防止具のストッパー用凹溝に嵌合されるストッパー用凸条を内面側に有し、かつ建物などの上記固定部材を挿通して掛り止められる開口部を有し、挟持する上記回動防止具の直径に適合したＵ字状とされる固定用の取付け具と、
よりなることを特徴とする管体固定用の支持具。
【手続補正２】
【補正対象書類名】明細書
【補正対象項目名】００１２
【補正方法】変更
【補正の内容】
【００１２】  この発明は、上記のような目的を達成するために、管体用の固定支持具として、建物などに設けられた固定部材に、配管用などの管体を取付けて固定保持する管体固定用の支持具であって、断面が円形状または多角形状を呈すると共に、軸方向に長尺に形成された管体と、所定範囲の外周に外嵌されると共に、軸方向に沿う複数のストッパー用凸条が条設され、かつ樹脂部材によって成形され上記管体との回転阻止力が射出成型時に４００Ｐａ以上で押圧してなる絶縁部材層を介して形成される回動防止具と、上記管体および上記回動防止具を外嵌すると共に、上記回動防止具のストッパー用凹溝に嵌合されるストッパー用凸条を内面側に有し、かつ建物などの上記固定部材を挿通して掛り止められる開口部を有し、挟持する上記回動防止具の直径に適合したＵ字状とされる固定用の取付け具と、よりなることを特徴とする。